(57)【要約】【課題】無地の切り取りミシン罫加工が施されたプリンター用伝票用紙は、通常のコピー用紙と比較してミシン罫加工が施された加工賃分価格が高いため普及が遅れている。経費削減のため、ミシン罫加工が施されていない通常のコピー用紙を伝票用紙として使用しているので、効率が悪化し、書類保管等に不具合が生じている。【解決手段】無地の切り取りミシン罫加工が施されたプリンター用伝票用紙の裏面に広告を掲載する。広告を掲載する企業、団体等から、切り取りミシン罫加工が施されたプリンター用伝票用紙の製作費、裏面に対する印刷費、配送費、管理費等を受け取り、これらの費用を賄い、切り取りミシン罫加工が施されたプリンター用伝票用紙が必要な複数の企業に無料配布する。無料なので、利用が促進される。また、広告主は、チラシを配布する、はがきを郵送する等の広告手段を超える広告効果を期待できる。【選択図】図４
2015205503.tif 000002
【特許請求の範囲】
【請求項１】
両面共に印刷のない無地の切り取りミシン罫加工が施されたプリンター用伝票用紙の裏面に企業、団体等の広告を掲載し、広告が掲載されたこの用紙を無料で複数の企業に配布することを特徴とする、裏面に広告が掲載され無料で利用できる切り取りミシン罫加工が施されたプリンター用伝票用紙。
【発明の詳細な説明】
【技術分野】
【０００１】この発明は、広告が印刷された、切り取りミシン罫加工が施されたプリンター用伝票用紙に関する。
【背景技術】
【０００２】従来より、両面ともに印刷のない無地の切り取りミシン罫加工が施されたプリンター用伝票用紙が使用されている。【０００３】この方法は、まず、両面ともに何の印刷もない、プリンターでプリント可能な無地の用紙を用意し、この用紙に切り取り可能なミシン罫加工を施す。
ミシン罫加工は、納品書、物品受領書等として切り取れる適切な形状に加工する。次に、ミシン罫加工を施されたこの用紙に、納品書、物品受領書等の情報をプリンターでプリントし伝票として使用している。【０００４】従来より、紙を使った広告は、チラシを配布する、はがきを郵送する等の方法で行われている。【０００５】この方法は、広告主またはその代理者が、用紙を購入し、広告を印刷し、配布している。
【先行技術文献】
【特許文献】
【０００６】なお、この出願の発明に関する先行技術文献情報としては、例えば、特許文献１が知られている。
【特許文献１】実用新案登録第３１４８９１３号公報
【発明の概要】
【発明が解決しようとする課題】
【０００７】しかしながら、以上の技術によれば、両面ともに印刷のない無地の切り取りミシン罫加工が施されたプリンター用伝票用紙は、通常のコピー用紙と比較してミシン罫加工が施された加工賃分価格が高かった。【０００８】このため、両面ともに印刷のない無地の切り取りミシン罫加工が施されたプリンター用伝票用紙が必要な企業においても、安価なコピー用紙を使用する傾向が多い。【０００９】コピー用紙にプリントされた納品書、物品受領書等は、切り取り可能なミシン罫加工が施されていないため、物品等の収納現場においては、カッター、ハサミ、最悪の場合定規を用いて引きちぎる等の方法で切り分けられている。【００１０】物品等の収納現場において、カッター、ハサミ等を用いて、納品書、物品受領書等の情報がプリントされたコピー用紙を切り分ける作業は効率が悪いだけでなく、不揃いな形状に切られてしまうため、ファイルなどへの綴じ込みが困難で、保管に重大な障害となっている。【００１１】しかしながら、以上の技術によれば、紙を使った、チラシ、はがき等の広告物は、広告活動専用に制作され、広告以外の価値が見いだせない。【００１２】また、チラシ、はがき等の広告物は、ほぼ無作為かつ広範囲に配布されるため、広告に掲載された情報は、その情報を必要とする企業には届きにくい傾向にある。
【課題を解決するための手段】
【００１３】以上の課題を解決するために、発明は、両面ともに印刷のない無地の切り取りミシン罫加工が施されたプリンター用伝票用紙の裏面に広告を掲載する。広告を掲載する企業、団体等から、両面ともに印刷のない無地の切り取りミシン罫加工が施されたプリンター用伝票用紙の製作費、裏面に対する印刷費、配送費、管理費等を受け取り、これらの費用を賄い、切り取りミシン罫加工が施されたプリンター用伝票用紙が必要な複数の企業に無料配布する。
【発明の効果】
【００１４】請求項１に記載の発明によれば、両面ともに印刷のない無地の切り取りミシン罫加工が施されたプリンター用伝票用紙の裏面に企業、団体等の広告を掲載し、広告が掲載されたこの伝票用紙を無料で切り取りミシン罫加工が施されたプリンター用伝票用紙が必要な複数の企業に配布することにより、この伝票用紙の利用が促進され、利用する企業にとって経費の削減となるばかりでなく、物品などの収納現場においてコピー用紙を使用した場合と比較して作業効率が改善する二重の利点がある。【００１５】さらに、裏面に広告が掲載され無料で利用できる切り取りミシン罫加工が施されたプリンター用伝票用紙を利用することにより、コピー用紙を使用した場合と比較して納品書、物品受領書等の形状が一定となり、ファイルなどへの綴じ込みが容易になり、保管しやすくなる。【００１６】また、切り取りミシン罫加工が施されたプリンター用伝票用紙の裏面に企業、団体等の広告を掲載することにより、広告主は一般の紙を使った、チラシ、はがき等の広告物と比較して、より効果の高い広告効果を期待できる。【００１７】すなわち、裏面に広告が掲載され無料で利用できる切り取りミシン罫加工が施されたプリンター用伝票用紙を使用した納品書、物品受領書等を受け取る企業の担当者は、資材、部品、消耗品等を受発注する購買、調達等の部署に帰属する可能性が高く、切り取りミシン罫加工が施されたプリンター用伝票用紙の広告の広告主は、これら購買、調達等の部署に帰属する担当者を目標に広告活動を展開したいと希望した場合、広告主の広告配布希望先と実際の広告配布先が一致することになり、効果の高い広告を期待できる。【００１８】加えて、裏面に広告が掲載され無料で利用できる切り取りミシン罫加工が施されたプリンター用伝票用紙を使用した納品書、物品受領書等の保存期間は、法定で７年間と定められていて、この間、広告主の広告は広告先企業に保存され、長期間にわたり効果の高い広告を期待できる。
【図面の簡単な説明】
【００１９】
【図１】実施例の商流の概念図
【図２】実施例の切り取りミシン罫加工が施されたプリンター用伝票用紙の図
【図３】実施例の納品書、物品受領書の図
【図４】実施例のプリンター用伝票用紙の裏面に掲載された広告の図
【発明を実施するための形態】
【実施例】
【００２０】以下、本発明を具体化した実施形態を図面に基づいて説明する。【００２１】図１に示すように、広告主が広告掲載を依頼し、費用負担した広告付きプリンター用伝票用紙は、利用を希望する納入業者へ無料で配布される。【００２２】納入業者は、無料で配布された広告付きプリンター用伝票用紙に納品書、物品受領書等の情報をプリンターでプリントし、商品、役務などとともに買い受け企業へ持参する。【００２３】この際、本伝票用紙を手にする納入業者、買い受け企業の担当者の多くは、裏面に掲載されている広告に接することになる。【００２４】広告主は、広告に接した納入業者、買い受け企業の担当者からの発注を期待できる。【００２５】図２に示すようにミシン罫加工は、納品書、物品受領書等として切り取れる適切な形状に加工する。【００２６】図３に示すように、ミシン罫加工を施されたこの用紙に、納品書、物品受領書等の情報をプリンターでプリントし伝票として使用する。【００２７】図４に示すように、ミシン罫加工が施されたプリンター用伝票用紙の裏面に広告を掲載する。
【符号の説明】
【００２８】１  両面ともに印刷のない無地の切り取りミシン罫加工が施されたプリンター用伝票用紙
２  表面に納品書、物品受領書等の情報をプリンターでプリントされたプリンター用伝票    用紙
３  裏面に広告を掲載されたプリンター用伝票用紙
【図１】
2015205503.tif 000003
【図２】
2015205503.tif 000004
【図３】
2015205503.tif 000005
【図４】
2015205503.tif 000006